(57)【要約】【課題】充電時間を考慮してユーザに座席を選択させることが可能な管理装置を提供する。【解決手段】この管理装置３は、ワイヤレスで給電する給電部１１ａ単位で、給電対象の電子機器２の蓄電部２２を所定量充電するのに必要な充電必要時間を取得するとともに、取得された充電必要時間を報知する制御を行う制御部３３と、を備える。【選択図】図１１
2017046422.tif 000002
【特許請求の範囲】
【請求項１】
ワイヤレスで給電する給電部単位で、給電対象の電子機器の蓄電部を所定量充電するのに必要な充電必要時間を取得するとともに、取得された前記充電必要時間を報知する制御を行う制御部と、を備える、管理装置。
【請求項２】
前記制御部は、複数の異なる給電電力で充電した場合の複数の前記充電必要時間を報知する制御を行うように構成されている、請求項１に記載の管理装置。
【請求項３】
前記複数の異なる給電電力は、給電環境に関する給電環境情報に基づいて取得される第１給電電力、給電できる前記給電部の最大給電電力である第２給電電力、および前記電子機器の最小受電電力である第３給電電力のいずれかを含む、請求項２に記載の管理装置。
【請求項４】
前記給電環境情報は、施設の混雑度合の情報、施設を利用するユーザの滞在平均時間の情報、座席の種類の情報、および前記電子機器のサイズの情報のいずれかを含む、請求項３に記載の管理装置。
【請求項５】
前記制御部は、給電できる前記給電部の最大給電電力が、前記電子機器の最小受電電力よりも小さい場合には、給電中である前記給電部の給電電力が小さくなるように設定した場合の前記充電必要時間を前記給電部単位で取得するように構成されている、請求項１〜４のいずれか１項に記載の管理装置。
【請求項６】
前記制御部は、前記給電部から前記電子機器への給電中に、前記充電必要時間を更新し、更新された前記充電必要時間を報知する制御を行うように構成されている、請求項１〜５のいずれか１項に記載の管理装置。
【請求項７】
前記制御部は、前記給電部から前記電子機器への給電中に、ユーザの座席の変更に関する座席変更情報が取得された場合には、前記充電必要時間を前記給電部単位で再び取得して、取得された前記充電必要時間を再び報知する制御を行うように構成されている、請求項１〜６のいずれか１項に記載の管理装置。
【発明の詳細な説明】
【技術分野】
【０００１】
この発明は、ワイヤレス給電に関する管理装置に関する。
【背景技術】
【０００２】
従来、ワイヤレス給電可能な充電装置が知られている（たとえば、特許文献１参照）。
【０００３】
上記特許文献１には、ファーストフードやレストランなどの施設に設置され、電磁誘導方式などのワイヤレス方式で携帯端末装置の二次電池を充電することが可能な充電装置（給電装置）が開示されている。この充電装置は、施設内の座席に対応して設置されていると考えられる。
【先行技術文献】
【特許文献】
【０００４】
【特許文献１】ＷＯ２０１２／１４０８２６号公報
【発明の概要】
【発明が解決しようとする課題】
【０００５】
しかしながら、上記特許文献１に記載の充電装置では、施設に設置された充電装置により携帯端末装置の二次電池を充電することができる一方、携帯端末装置の二次電池の充電時間をユーザが予め知ることができないという不都合がある。このため、充電時間を考慮してユーザに座席を選択させることができないという問題点がある。
【０００６】
この発明は、上記のような課題を解決するためになされたものであり、この発明の１つの目的は、充電時間を考慮してユーザに座席を選択させることが可能な管理装置を提供することである。
【課題を解決するための手段】
【０００７】
この発明の第一の局面による管理装置は、ワイヤレスで給電する給電部単位で、給電対象の電子機器の蓄電部を所定量充電するのに必要な充電必要時間を取得するとともに、取得された充電必要時間を報知する制御を行う制御部と、を備える。
【０００８】
この発明の第一の局面による管理装置では、上記のような制御部を設ける。これにより、座席選択のための判断材料として、給電部単位の充電必要時間をユーザに提供することができる。その結果、充電必要時間を考慮してユーザに座席を選択させることができる。
【０００９】
上記第一の局面による管理装置において、好ましくは、制御部は、複数の異なる給電電力で充電した場合の複数の充電必要時間を報知する制御を行うように構成されている。このように構成すれば、複数の充電必要時間をユーザに提供することができるので、その分、より多くの座席選択のための判断材料をユーザに提供することができる。
【００１０】
上記複数の異なる給電電力で充電した場合の複数の充電必要時間を報知する構成において、好ましくは、複数の異なる給電電力は、給電環境に関する給電環境情報に基づいて取得される第１給電電力、給電できる給電部の最大給電電力である第２給電電力、および電子機器の最小受電電力である第３給電電力のいずれかを含む。このように構成すれば、給電電力が第１給電電力である場合には、給電環境が考慮される分、より適切な充電必要時間をユーザに提供することができる。また、給電電力が第２給電電力である場合には、少なくとも報知時点で最短の充電必要時間をユーザに提供することができる。また、給電電力が第３給電電力である場合には、最長の充電必要時間をユーザに提供することができる。したがって、座席選択のための判断材料をユーザに効果的に提供することができる。
【００１１】
この場合、好ましくは、給電環境情報は、施設の混雑度合の情報、施設を利用するユーザの滞在平均時間の情報、座席の種類の情報、および電子機器のサイズの情報のいずれかを含む。このように構成すれば、給電環境を適切に考慮することができるので、より適切な充電必要時間をユーザに容易に提供することができる。
【００１２】
上記第一の局面による管理装置において、好ましくは、制御部は、給電できる給電部の最大給電電力が、電子機器の最小受電電力よりも小さい場合には、給電中である給電部の給電電力が小さくなるように設定した場合の充電必要時間を給電部単位で取得するように構成されている。このように構成すれば、給電できる給電部の最大給電電力が、電子機器の最小受電電力よりも小さく、充電（給電）が困難な場合にも、仮に給電電力が調整された場合の充電必要時間を取得することができる。その結果、充電必要時間をユーザにより確実に提供することができる。
【００１３】
上記第一の局面による管理装置において、好ましくは、制御部は、給電部から電子機器への給電中に、充電必要時間を更新し、更新された充電必要時間を報知する制御を行うように構成されている。このように構成すれば、着席前に、座席選択のための判断材料として、給電できる給電部単位の充電必要時間をユーザに提供することができるのみならず、電子機器への給電中に更新された充電必要時間をユーザに提供することができる。
【００１４】
上記第一の局面による管理装置において、好ましくは、制御部は、給電部から電子機器への給電中に、ユーザの座席の変更に関する座席変更情報が取得された場合には、充電必要時間を給電部単位で再び取得して、取得された充電必要時間を再び報知する制御を行うように構成されている。このように構成すれば、着席後に、ユーザが座席を変更（移動）しようとする場合にも、座席選択のための判断材料として、給電部単位の充電必要時間をユーザに提供することができる。その結果、ユーザが座席を変更（移動）しようとする場合にも、充電必要時間を考慮してユーザに座席を選択させることができる。
【発明の効果】
【００１５】
本発明によれば、上記のように、充電時間を考慮してユーザに座席を選択させることが可能な管理装置を提供することができる。
【図面の簡単な説明】
【００１６】
【図１】本発明の第１〜第３実施形態による給電システムを示す図である。
【図２】本発明の第１〜第３実施形態による給電コントローラを示すブロック図である。
【図３】本発明の第１〜第３実施形態による電子機器を示すブロック図である。
【図４】本発明の第１〜第３実施形態による管理装置を示すブロック図である。
【図５】本発明の第１実施形態による給電システムの施設入場時処理を説明するためのフローチャートである。
【図６】本発明の第１実施形態による給電システムの充電必要時間報知時処理を説明するためのフローチャートである。
【図７】本発明の第１実施形態による給電システムの時間取得用電力取得処理を説明するためのフローチャートである。
【図８】本発明の第１実施形態による給電システムにより取得される時間取得用電力を説明するための図である。
【図９】本発明の第１実施形態による給電システムの給電電力仮調整処理を説明するためのフローチャートである。
【図１０】本発明の第１実施形態による給電システムの充電必要時間取得処理を説明するためのフローチャートである。
【図１１】本発明の第１実施形態による給電システムで電子機器に報知される充電必要時間マップを説明するための図である。
【図１２】本発明の第１実施形態による給電システムの給電開始時処理を説明するためのフローチャートである。
【図１３】本発明の第１実施形態による給電システムの給電開始後に電子機器に報知される充電必要時間を説明するための図である。
【図１４】本発明の第１実施形態による給電システムで電子機器に報知される変更時間マップを説明するための図である。
【図１５】本発明の第１実施形態による給電システムの給電終了時処理を説明するためのフローチャートである。
【図１６】本発明の第２実施形態による給電システムにおける電子機器の特定方法を説明するための図である。
【図１７】本発明の第２実施形態による給電システムにおける充電必要時間マップの表示方法を説明するための図である。
【図１８】本発明の第３実施形態による給電システムにおける充電必要時間マップの表示方法を説明するための図である。
【発明を実施するための形態】
【００１７】
以下、本発明を具体化した実施形態を図面に基づいて説明する。
【００１８】
［第１実施形態］
（給電システムの構成）
まず、図１を参照して、本発明の第１実施形態による給電システム１００の構成について説明する。
【００１９】
本発明の第１実施形態による給電システム１００は、図１に示すように、複数（６つ）の給電コントローラ１と、１つの管理装置３とを備えている。複数の給電コントローラ１および管理装置３は、共に、飲食店などの施設Ｆに設置されている。また、施設Ｆには、複数（６つ）のテーブルＴが設置されている。給電コントローラ１は、テーブルＴ毎に設置されている。
【００２０】
給電システム１００は、テーブルＴに設置された給電コントローラ１の後述する給電部１１から、タブレットＰＣやスマートフォンなどの電子機器２に電力を供給（給電）するワイヤレス方式の給電システムである。給電システム１００では、給電コントローラ１は、たとえば磁界共鳴方式により、ワイヤレスで電子機器２に給電するように構成されている。
【００２１】
（給電コントローラの構成）
図２に示すように、給電コントローラ１は、複数の給電部１１と、２つの通信部１２ａおよび１２ｂと、制御部１３とを含んでいる。
【００２２】
給電部１１は、給電用のアンテナコイルを含み、電子機器２にワイヤレスで給電を行うための磁界を発生することにより、外部電源９０からの電力を、電子機器２にワイヤレスで給電することが可能に構成されている。また、給電部１１は、出力信号（ビーコン）を発信するように構成されている。
【００２３】
また、図１に示すように、施設Ｆには、テーブルＴ毎に、複数の座席Ｃが設置されている。複数の給電部１１は、それぞれ、座席Ｃに対応する位置に設置されている。したがって、給電コントローラ１の各々は、座席Ｃの数に応じて、異なる数の給電部１１を含んでいる。
【００２４】
図２に示すように、通信部１２ａは、所定の無線通信規格に基づいて電子機器２と無線通信が可能に構成されている。
【００２５】
通信部１２ｂは、有線により管理装置３の後述する通信部３２ｂに接続されており、管理装置３と有線通信が可能に構成されている。
【００２６】
制御部１３は、給電コントローラ１の動作を制御するＣＰＵ１３ａと、給電コントローラ１を動作させるための各種のプログラムなどを格納するＲＯＭ１３ｂと、プログラムの動作の際に作業領域として用いられるＲＡＭ１３ｃとを含んでいる。制御部１３は、給電部１１の給電状況を管理するように構成されている。
【００２７】
（電子機器の構成）
図３に示すように、電子機器２は、受電部２１と、蓄電部２２と、表示部２３と通信部２４と、制御部２５とを含んでいる。
【００２８】
受電部２１は、受電用のアンテナコイルを含み、給電コントローラ１の給電部１１からの磁界により、電力を発生（受電）するように構成されている。
【００２９】
蓄電部２２は、たとえば二次電池により構成されており、受電部２１からの電力により、充電されるように構成されている。
【００３０】
表示部２３は、たとえば液晶パネルにより構成されており、各種の画像を表示するように構成されている。
【００３１】
通信部２４は、所定の無線通信規格に基づいて給電コントローラ１および管理装置３と無線通信が可能に構成されている。
【００３２】
制御部２５は、電子機器２の動作を制御するＣＰＵ２５ａと、電子機器２を動作させるための各種のプログラムなどを格納するＲＯＭ２５ｂと、プログラムの動作の際に作業領域として用いられるＲＡＭ２５ｃとを含んでいる。
【００３３】
（管理装置の構成）
図４に示すように、管理装置３は、記憶部３１と、２つの通信部３２ａおよび３２ｂと、制御部３３とを含んでいる。
【００３４】
記憶部３１は、各種の情報を記憶可能に構成されている。記憶部３１には、施設Ｆのマップや、テーブルＴ毎の座席Ｃの種類（一人席、四人席、八人席などの種類）などの施設情報が記憶されている。また、記憶部３１には、電子機器２の識別情報（たとえば、ＭＡＣアドレス）や、電子機器２の蓄電部２２の残電力量、電子機器２の蓄電部２２の最大充電電力量、電子機器２の施設入場時間、電子機器２のサイズ（小型、中型、大型）などの電子機器２に関する情報が記憶されている。また、記憶部３１には、過去の給電コントローラ１の給電状況や、現在の給電コントローラ１の給電状況などの各々の給電コントローラ１に関する情報が記憶されている。
【００３５】
また、記憶部３１には、時間帯毎の施設の混雑度合の情報や、時間帯毎の施設を利用するユーザの滞在平均時間の情報などの客層情報が記憶されている。たとえば、１１時〜１３時の時間帯では、混雑度合として満席率９０％とし、滞在平均時間１５分とし、１４時〜１６時の時間帯では、満席率４０％とし、滞在平均時間６０分とし、１８時〜２０時の時間帯では、満席率７０％とし、滞在平均時間３０分として、客層情報の初期値が記憶部３１に記憶されている。なお、これらの情報は、適宜データベース化された状態で、記憶部３１に記憶されていてもよい。
【００３６】
通信部３２ａは、所定の無線通信規格に基づいて電子機器２と無線通信が可能に構成されている。
【００３７】
通信部３２ｂは、有線により給電コントローラ１の通信部１２ｂに接続されており、給電コントローラ１と有線通信が可能に構成されている。
【００３８】
制御部３３は、管理装置３の動作を制御するＣＰＵ３３ａと、管理装置３を動作させるための各種のプログラムなどを格納するＲＯＭ３３ｂと、プログラムの動作の際に作業領域として用いられるＲＡＭ３３ｃとを含んでいる。制御部３３は、給電コントローラ１の給電状況を管理するように構成されている。
【００３９】
ここで、第１実施形態では、制御部３３は、給電コントローラ１の複数の給電部１１のうち、現在給電中でない給電できる給電部１１ａ（図８参照）単位で、給電対象の電子機器２の蓄電部２２を所定量充電（たとえば、満充電）するのに必要な充電必要時間を取得するとともに、取得された給電できる給電部１１ａ単位の充電必要時間を通信部３２ａを介して電子機器２に報知（送信）する制御を行うように構成されている。
【００４０】
この際、制御部３３は、複数の異なる給電電力で充電した場合の複数の充電必要時間を通信部３２ａを介して報知する制御を行うように構成されている。
【００４１】
また、第１実施形態では、制御部３３は、給電できる給電部１１ａの最大給電電力が、電子機器２の最小受電電力よりも小さい場合には、給電中である給電部１１ｂの給電電力が小さくなるように設定した場合の充電必要時間を給電できる給電部１１ａ単位で取得するように構成されている。
【００４２】
以下、図５〜図１１を参照して、充電必要時間の報知に関する給電システム１００の動作について説明する。
【００４３】
（施設入場時の動作）
まず、図５を参照して、施設入場時の給電システム１００の管理装置３の動作と、電子機器２の動作とについて、フローチャートに基づいて説明する。なお、以降のフローチャートの説明では、給電コントローラ１の動作は、給電コントローラ１の制御部１３により制御され、電子機器２の動作は、電子機器２の制御部２５により制御され、管理装置３の動作は、管理装置３の制御部３３により制御される。また、理解の容易のため、電子機器２の処理に「ａ」を付し、管理装置３の処理に「ｂ」を付し、給電コントローラ１の処理に「ｃ」を付して説明する。
【００４４】
図５に示すように、電子機器２が電子機器２を使用するユーザと共に施設に入場されると、まず、ステップＳ１ａにおいて、電子機器２と管理装置３との間で、所定の無線通信規格に基づいて通信が行われることにより、電子機器２では、管理装置３との無線通信接続が確立される。同様に、管理装置３では、ステップＳ１ｂにおいて、電子機器２との無線通信接続が確立される。
【００４５】
そして、ステップＳ２ａにおいて、電子機器２の識別情報、電子機器のサイズ（小型、中型、大型）、電子機器２が受電可能な最小の電力である最小受電電力、電子機器２が受電可能な最大の電力である最大受電電力、電子機器２の蓄電部２２の残電力量、および電子機器２の蓄電部２２が充電可能な最大の電力量である最大充電電力量を含む電子機器情報が、電子機器２から管理装置３に送信される。
【００４６】
そして、管理装置３では、電子機器情報が受信されると、ステップＳ２ｂにおいて、受信された電子機器情報が記憶部３１に登録（記憶）される。この際、電子機器２の施設入場時間も記憶部３１に記憶される。
【００４７】
そして、管理装置３では、ステップＳ３ｂにおいて、暗号化のための鍵が生成される。また、ステップＳ４ｂにおいて、生成された鍵が、管理装置３から電子機器２に送信される。
【００４８】
そして、電子機器２では、鍵が受信されると、ステップＳ３ａにおいて、受信された鍵がＲＯＭ２５ｂに記憶される。そして、電子機器２および管理装置３では、施設入場時処理が終了される。
【００４９】
（充電必要時間報知時の動作）
次に、図６を参照して、充電必要時間報知時の給電システム１００の給電コントローラ１および管理装置３の動作と、電子機器２の動作とについて、フローチャートに基づいて説明する。
【００５０】
図６に示すように、ステップＳ１１ａにおいて、所定のアプリケーションなどの充電必要時間を閲覧するための閲覧機能が起動されると、ステップＳ１２ａにおいて、後述する充電必要時間マップ（図１１参照）を取得するための充電必要時間取得要求が、電子機器２から管理装置３に送信される。
【００５１】
そして、管理装置３では、充電必要時間取得要求が受信されると、ステップＳ１１ｂにおいて、充電必要時間を取得（算出）するための処理が開始される。
【００５２】
そして、ループＬ１ｂからループＬ２ｂの間のステップＳ１２ｂ〜Ｓ１５ｂの処理が、給電コントローラ１の数（６つ）分だけ繰り返される。
【００５３】
まず、ステップＳ１２ｂにおいて、給電コントローラ１の給電状況を確認するための給電状況問合せが、管理装置３から給電コントローラ１に送信される。
【００５４】
そして、給電コントローラ１では、給電状況問合せが受信されると、ステップＳ１１ｃにおいて、給電状況が確認される。この際、図８に示すように、複数（４つ）の給電部１１のうち給電できる給電部１１ａがいくつあるかや、外部電源９０（図２参照）から供給される全電力のうち給電できる給電部１１ａにより現在使用可能な最大の電力である最大給電電力がどのぐらいであるかなどの給電状況が確認される。なお、給電できる給電部１１ａの最大給電電力は、｛最大給電電力＝（外部電源９０からの全電力）−（給電中の給電部１１ｂの総給電電力）｝により求めることができる。
【００５５】
そして、ステップＳ１２ｃにおいて、確認された給電状況が、給電コントローラ１から管理装置３に送信される。たとえば、図８に示す給電コントローラ１の場合には、給電できる給電部１１ａが２つであり、給電できる給電部１１ａの最大給電電力が４０Ｗ（＝１００Ｗ−（５０Ｗ＋１０Ｗ））であることが、給電コントローラ１から管理装置３に送信される。
【００５６】
そして、管理装置３では、給電状況が受信されると、ステップＳ１３ｂにおいて、給電状況が確認される。この際、受信された給電状況が、現在の給電状況であるとして記憶部３１に記憶される。
【００５７】
そして、ステップＳ１４ｂにおいて、確認された給電状況に基づいて、充電必要時間を取得（算出）するための時間取得用電力取得処理が開始される。
【００５８】
ここで、図７を参照して、時間取得用電力取得処理における管理装置３の動作について、フローチャートに基づいて説明する。給電システム１００では、充電必要時間を取得するための給電電力（値）として、Ｗｍａｘ、Ｗａｖｅ、およびＷｍｉｎの３つの給電電力（値）が用いられる。
【００５９】
図７に示すように、まず、ステップＳ２１ｂにおいて、給電できる給電部１１ａの最大給電電力がＷｍａｘの初期値として設定される。また、給電できる給電部１１ａの最大給電電力を給電できる給電部１１ａの数で除算した給電電力がＷａｖｅの初期値として設定される。また、電子機器２の最小受電電力がＷｍｉｎの初期値として設定される。この場合、ＷｍａｘおよびＷｍｉｎは、それぞれ、本発明の「第２給電電力」および「第３給電電力」の一例である。
【００６０】
そして、ステップＳ２２ｂにおいて、ＷｍａｘがＷｍｉｎよりも小さいか否かが判断される。ＷｍａｘがＷｍｉｎ以上であると判断される場合（「Ｎｏ」の場合）には、ステップＳ２３ｂに進む。
【００６１】
そして、ステップＳ２３ｂにおいて、Ｗｍａｘが電子機器２の最大受電電力よりも大きいか否かが判断される。Ｗｍａｘが電子機器２の最大受電電力以下であると判断される場合（「Ｎｏ」の場合）には、ステップＳ２４ｂに進む。
【００６２】
そして、ステップＳ２４ｂにおいて、ＷｍａｘがＷａｖｅよりも小さいか否かが判断される。ＷｍａｘがＷａｖｅ以上であると判断される場合（「Ｎｏ」の場合）には、時間取得用電力取得処理が終了され、図６に示す充電必要時間報知処理のステップＳ１５ｂに進む。なお、ステップＳ２２ｂ、Ｓ２３ｂ、Ｓ２４ｂの順に進む場合には、Ｗｍａｘ、Ｗａｖｅ、およびＷｍｉｎは、初期値のままである。
【００６３】
また、ステップＳ２２ｂにおいて、ＷｍａｘがＷｍｉｎよりも小さいと判断される場合（「Ｙｅｓ」の場合）には、ステップＳ２５ｂに進む。そして、ステップＳ２５ｂにおいて、給電電力仮調整処理が開始される。
【００６４】
ここで、図９を参照して、給電電力仮調整処理における管理装置３の動作について、フローチャートに基づいて説明する。
【００６５】
図９に示すように、まず、ループＬ３ｂからループＬ４ｂの間のステップＳ３１ｂ〜Ｓ３４ｂの処理が、現在給電中の電子機器２の数（図８に示す給電コントローラ１の場合には、２つ）分だけ繰り返される。この際、優先度が低い電子機器２から順に、ループＬ３ｂからループＬ４ｂの間のステップＳ３１ｂ〜Ｓ３４ｂの処理が行われる。
【００６６】
ここで、給電システム１００では、施設入場時間に基づいて、電子機器２の優先度が管理装置３の制御部３３により設定される。この際、施設入場時間が早い電子機器２の方が、施設入場時間が遅い電子機器２よりも優先度が高くなるように設定される。この結果、施設入場時間が早い電子機器２を優先して充電（給電）することが可能となる。
【００６７】
ループＬ３ｂからループＬ４ｂの間では、まず、ステップＳ３１ｂにおいて、現在給電中の給電部１１ｂ（図８参照）がＷｍａｘで電子機器２に充電（給電）しているか否かが判断される。給電システム１００では、充電必要時間を取得するためのみならず、給電制御を行うためにも、Ｗｍａｘ、Ｗａｖｅ、およびＷｍｉｎの３つの給電電力が用いられる。したがって、給電中である電子機器２は、対応する給電部１１ａにより、Ｗｍａｘ、Ｗａｖｅ、およびＷｍｉｎの３つのうちいずれかの給電電力により給電されている。
【００６８】
ステップＳ３１ｂにおいて、現在給電中の給電部１１ｂがＷｍａｘで電子機器２に充電（給電）していないと判断される場合（「Ｎｏ」の場合）には、次に優先度が低い給電中の電子機器２の処理に移行する。
【００６９】
また、ステップＳ３１ｂにおいて、現在給電中の給電部１１ｂがＷｍａｘで電子機器２に充電（給電）していると判断される場合（「Ｙｅｓ」の場合）には、ステップＳ３２ｂに進む。
【００７０】
そして、ステップＳ３２ｂにおいて、現在給電中の給電部１１ｂの給電電力が、ＷｍａｘからＷａｖｅに変更されて、設定される。この際、実際の給電電力は変更されずに、現在給電中の給電部１１ｂの計算上の給電電力が、ＷｍａｘからＷａｖｅに仮想的に変更されて、設定される。
【００７１】
そして、ステップＳ３３ｂにおいて、現在給電中の給電部１１ｂの給電電力が、ＷｍａｘからＷａｖｅに変更されて、設定された状態で、充電必要時間取得要求を送信した電子機器（以下、適宜新規の電子機器という）２のＷｍａｘおよびＷａｖｅの２つの給電電力が再取得される。すなわち、給電中である給電部１１ｂの給電電力が小さくなるように設定した場合のＷｍａｘおよびＷａｖｅが取得される。
【００７２】
そして、ステップＳ３４ｂにおいて、新規の電子機器２のＷｍａｘがＷｍｉｎよりも小さい状態が改善されたか否かが判断される。新規の電子機器２のＷｍａｘがＷｍｉｎよりも小さい状態が改善されていないと判断される場合（「Ｎｏ」の場合）には、次に優先度が低い給電中の電子機器２の処理に移行する。
【００７３】
また、ステップＳ３４ｂにおいて、新規の電子機器２のＷｍａｘがＷｍｉｎよりも小さい状態が改善されたと判断される場合（「Ｙｅｓ」の場合）には、ステップＳ３５ｂに進む。
【００７４】
そして、ステップＳ３５ｂにおいて、再取得されたＷｍａｘおよびＷａｖｅが記憶部３１に記憶される。その後、ステップＳ３６ｂにおいて、ＯＫ判定がされて、給電電力仮調整処理が終了される。そして、図７に示す時間取得用電力取得処理のステップＳ２６ｂに進む。
【００７５】
また、ループＬ３ｂからループＬ４ｂの間で、給電中の電子機器２の全部の数分だけ処理が行われても、新規の電子機器２のＷｍａｘがＷｍｉｎよりも小さい状態が改善されていないと判断される場合には、ループＬ５ｂからループＬ６ｂの間のステップＳ３７ｂ〜Ｓ４０ｂの処理に進む。そして、ループＬ５ｂからループＬ６ｂの間のステップＳ３７ｂ〜Ｓ４０ｂの処理が、現在給電中の電子機器２の数分だけ繰り返される。この際にも、優先度が低い電子機器２から順に、ループＬ５ｂからループＬ６ｂの間のステップＳ３７ｂ〜Ｓ４０ｂの処理が行われる。
【００７６】
ループＬ５ｂからループＬ６ｂの間では、まず、ステップＳ３７ｂにおいて、現在給電中の給電部１１ｂがＷａｖｅで電子機器２に充電（給電）しているか否かが判断される。
【００７７】
ステップＳ３７ｂにおいて、現在給電中の給電部１１ｂがＷａｖｅで電子機器２に充電（給電）していないと判断される場合（「Ｎｏ」の場合）には、次に優先度が低い給電中の電子機器２の処理に移行する。
【００７８】
また、ステップＳ３７ｂにおいて、現在給電中の給電部１１ｂがＷａｖｅで電子機器２に充電（給電）していると判断される場合（「Ｙｅｓ」の場合）には、ステップＳ３８ｂに進む。
【００７９】
そして、ステップＳ３８ｂにおいて、現在給電中の給電部１１ｂの給電電力が、ＷａｖｅからＷｍｉｎに変更されて、設定される。この際にも、実際の給電電力は変更されずに、現在給電中の給電部１１ｂの計算上の給電電力が、ＷａｖｅからＷｍｉｎに仮想的に変更されて、設定される。
【００８０】
そして、ステップＳ３９ｂにおいて、現在給電中の給電部１１ｂの給電電力が、ＷａｖｅからＷｍｉｎに変更されて、設定された状態で、新規の電子機器２のＷｍａｘおよびＷａｖｅの２つの給電電力が再取得される。すなわち、給電中である給電部１１ｂの給電電力がさらに小さくなるように設定した場合のＷｍａｘおよびＷａｖｅが取得される。
【００８１】
そして、ステップＳ４０ｂにおいて、新規の電子機器２のＷｍａｘがＷｍｉｎよりも小さい状態が改善されたか否かが判断される。新規の電子機器２のＷｍａｘがＷｍｉｎよりも小さい状態が改善されていないと判断される場合（「Ｎｏ」の場合）には、次に優先度が低い給電中の電子機器２の処理に移行する。
【００８２】
また、ステップＳ３４ｂにおいて、新規の電子機器２のＷｍａｘがＷｍｉｎよりも小さい状態が改善されたと判断される場合（「Ｙｅｓ」の場合）には、ステップＳ３５ｂに進む。
【００８３】
そして、ステップＳ３５ｂにおいて、再取得されたＷｍａｘおよびＷａｖｅが記憶部３１に記憶される。その後、ステップＳ３６ｂにおいて、ＯＫ判定がされて、給電電力仮調整処理が終了される。そして、図７に示す時間取得用電力取得処理のステップＳ２６ｂに進む。
【００８４】
また、ループＬ５ｂからループＬ６ｂの間で、給電中の電子機器２の全部の数分だけ処理が行われても、新規の電子機器２のＷｍａｘがＷｍｉｎよりも小さい状態が改善されていないと判断される場合には、ステップＳ４１ｂに進む。
【００８５】
そして、ステップＳ４１ｂにおいて、ＮＧ判定がされて、給電電力仮調整処理が終了される。そして、図７に示す時間取得用電力取得処理のステップＳ２６ｂに進む。
【００８６】
図７に戻り、ステップＳ２５ｂにおいて、図９に示す給電電力仮調整処理が行われると、ステップＳ２６ｂにおいて、ＯＫ判定であるか否かが判断される。ＯＫ判定ではない（ＮＧ判定である）と判断される場合（「Ｎｏ」の場合）には、時間取得用電力取得処理が終了され、図６に示す充電必要時間報知時処理のステップＳ１５ｂに進む。なお、この場合には、充電必要時間は取得されない。
【００８７】
また、ステップＳ２６ｂにおいて、ＯＫ判定であると判断される場合（「Ｙｅｓ」の場合）には、ステップＳ２３ｂに進む。ステップＳ２３ｂでは、上記したように判断が行われる。
【００８８】
また、ステップＳ２３ｂにおいて、Ｗｍａｘが電子機器２の最大受電電力よりも大きいと判断される場合（「Ｙｅｓ」の場合）には、ステップＳ２７ｂに進む。そして、ステップＳ２７ｂにおいて、電子機器２の最大受電電力がＷｍａｘとして設定されて、ステップＳ２４ｂに進む。
【００８９】
また、ステップＳ２４ｂにおいて、ＷｍａｘがＷａｖｅよりも小さいと判断される場合（「Ｙｅｓ」の場合）には、Ｗｍａｘの値が、Ｗａｖｅとして設定されて、時間取得用電力取得処理が終了され、図６に示す充電必要時間報知時処理のステップＳ１５ｂに進む。
【００９０】
図６に戻り、ステップＳ１４ｂにおいて、図７に示す時間取得用電力取得処理が行われると、ステップＳ１５ｂにおいて、充電必要時間取得処理が行われる。
【００９１】
ここで、図１０を参照して、充電必要時間取得処理における管理装置３の動作について、フローチャートに基づいて説明する。充電必要時間取得処理では、Ｗｍａｘに基づく最短充電必要時間、Ｗｍｉｎに基づく最長充電必要時間、および給電環境を考慮した基本充電必要時間の３つの充電時間が取得（算出）される。
【００９２】
図１０に示すように、まず、ステップＳ５１ｂにおいて、給電環境を考慮するための係数Ａ１、係数Ａ２、および係数Ａ３の３つの係数の初期値が設定される。この係数Ａ１、係数Ａ２、および係数Ａ３は、それぞれ、Ｗｍａｘ、Ｗａｖｅ、およびＷｍｉｎに乗じられる係数である。具体的には、ステップＳ５１ｂでは、１．０が係数Ａ１の初期値として設定され、０．０が係数Ａ２の初期値として設定され、０．０が係数Ａ３の初期値として設定される。なお、係数Ａ１、係数Ａ２、および係数Ａ３は、Ａ１＋Ａ２＋Ａ３＝１．０を満たす。
【００９３】
そして、ステップＳ５２ｂにおいて、記憶部３１に記憶された時間帯毎の施設の混雑度合いの情報に基づいて、現在時間の混雑度合が考慮される。たとえば、現在時間の満席率が８０％である場合には、係数Ａ１に−０．３が付加され、係数Ａ２に＋０．１が付加され、係数Ａ３に＋０．２が付加される。また、現在時間の満席率が５０％である場合には、係数Ａ１に−０．３が付加され、係数Ａ２に＋０．２が付加され、係数Ａ３に＋０．１が付加される。また、現在時間の満席率が３０％である場合には、係数Ａ１に−０．１が付加され、係数Ａ２に＋０．１が付加され、係数Ａ３には何も付加されない。
【００９４】
そして、ステップＳ５３ｂにおいて、記憶部３１に記憶された時間帯毎の施設を利用するユーザの滞在平均時間の情報に基づいて、現在時間の滞在平均時間が考慮される。たとえば、現在時間の滞在平均時間が１５分である場合には、係数Ａ１に−０．３が付加され、係数Ａ２に＋０．１が付加され、係数Ａ３に＋０．２が付加される。また、現在時間の滞在平均時間が２０分である場合には、係数Ａ１に−０．３が付加され、係数Ａ２に＋０．２が付加され、係数Ａ３に＋０．１が付加される。また、現在時間の滞在平均時間が３０分である場合には、係数Ａ１に−０．１が付加され、係数Ａ２に＋０．１が付加され、係数Ａ３には何も付加されない。
【００９５】
そして、ステップＳ５４ｂにおいて、記憶部３１に記憶されたテーブルＴ（図１参照）毎の座席Ｃの種類の情報に基づいて、座席種類が考慮される。たとえば、座席種類が１人席である場合には、係数Ａ１、係数Ａ２、および係数Ａ３には何も付加されない。また、座席種類が４人席である場合には、係数Ａ１に−０．３が付加され、係数Ａ２に＋０．２が付加され、係数Ａ３に＋０．１が付加される。また、座席種類が８人席である場合には、係数Ａ１に−０．１が付加され、係数Ａ２に＋０．１が付加され、係数Ａ３には何も付加されない。
【００９６】
そして、ステップＳ５５ｂにおいて、記憶部３１に記憶された電子機器２のサイズ（小型、中型、大型）の情報に基づいて、電子機器２のサイズが考慮される。たとえば、電子機器２のサイズが小型である場合には、係数Ａ１、係数Ａ２、および係数Ａ３には何も付加されない。また、電子機器２のサイズが中型である場合には、係数Ａ１に−０．２が付加され、係数Ａ２に＋０．２が付加され、係数Ａ３には何も付加されない。また、電子機器２のサイズが小型である場合には、係数Ａ１に−０．４が付加され、係数Ａ２に＋０．１が付加され、係数Ａ３に＋０．３が付加される。
【００９７】
そして、ステップＳ５６ｂにおいて、上記した施設の混雑度合いの情報、施設を利用するユーザの滞在平均時間の情報、テーブルＴ毎の座席Ｃの種類の情報、および電子機器２のサイズの情報などの給電環境に関する給電環境情報に基づいて、給電環境を考慮した給電電力（値）としてＷが取得される。なお、Ｗは、以下の式（１）により求められる。
Ｗ＝Ａ１×Ｗｍａｘ＋Ａ２×Ｗａｖｅ＋Ａ３×Ｗｍｉｎ  ・・・（１）
【００９８】
そして、ステップＳ５７ｂにおいて、上記した最短充電必要時間（以下、単に最短時間という）、基本充電必要時間（以下、単に基本時間という）、および最長充電必要時間（以下、単に最長時間という）が給電できる給電部１１ａ単位で取得される。この際、電子機器２の充電必要電力量は、記憶部３１に記憶された電子機器２の蓄電部２２の残電力量および蓄電部２２の最大充電電力量に基づいて、以下の式（２）により求められる。
充電必要電力量＝最大充電電力量−残電力量  ・・・（２）
【００９９】
また、最短時間、基本時間、および最長時間は、それぞれ、以下の式（３）〜（５）により求められる。
最短充電必要時間＝充電必要電力量／Ｗｍａｘ  ・・・（３）
基本充電必要時間＝充電必要電力量／Ｗ  ・・・（４）
最長充電必要時間＝充電必要電力量／Ｗｍｉｎ  ・・・（５）
【０１００】
この際、図９に示す給電電力仮調整処理により、ＷｍａｘがＷｍｉｎよりも小さい状態が改善されていれば、給電中である給電部１１ｂ（図８参照）の給電電力が小さくなるように設定した場合のＷｍａｘおよびＷａｖｅに基づいて、給電中である給電部１１ｂの給電電力が小さくなるように設定した場合の充電必要時間（最短時間および基本時間）が取得される。
【０１０１】
充電必要時間取得処理が終了されると、図６に示すように、次の給電コントローラ１について、ループＬ１ｂからループＬ２ｂの間のステップＳ１２ｂ〜Ｓ１５ｂの処理が行われる。そして、複数（６つ）の給電コントローラ１について処理がループＬ１ｂからループＬ２ｂの間の処理が終了すると、ステップＳ１６ｂに進む。
【０１０２】
そして、ステップＳ１６ｂにおいて、充電必要時間を視覚的に識別可能な充電必要時間マップが、管理装置３から電子機器２に送信される。
【０１０３】
そして、電子機器２では、充電必要時間マップが受信されると、ステップＳ１３ａにおいて、充電必要時間マップが表示部２３に表示される。
【０１０４】
具体的には、図１１に示すように、充電必要時間マップの画像Ｉ１が電子機器２の表示部２３に表示される。充電必要時間マップの画像Ｉ１は、施設Ｆのマップと、各テーブルＴの給電できる給電部１１ａ単位（テーブルＴ単位）の充電必要時間とを対応させた画像である。充電必要時間マップの画像Ｉ１では、相対的に充電が早くできるか否かが、色分けして表示されている。また、充電必要時間マップの画像Ｉ１では、給電できる給電部１１ａがないか、またはＷｍａｘがＷｍｉｎよりも小さいため、現在給電ができないテーブルＴが使用不可（ＮＧ）として表示されている。
【０１０５】
たとえば、充電必要時間マップの画像Ｉ１中のテーブルＴに対応する位置が、アイコンＤにより選択された場合には、その充電必要時間マップの画像Ｉ１から、画像Ｉ２に遷移する。充電必要時間マップの画像Ｉ２では、充電必要時間として、アイコンＤにより選択されたテーブルＴの給電できる給電部１１ａの最短時間、基本時間、および最長時間の３つの充電必要時間が表示されている。これにより、給電できる給電部１１ａ単位（つまり、空席単位）の充電必要時間をユーザに提供することが可能となる。
【０１０６】
（給電開始時の動作）
以上では、ユーザが施設Ｆに入場し、座席Ｃに着席する前までの給電システム１００の動作について説明した。以下では、図１２〜図１５を参照して、ユーザが座席Ｃに着席した後の給電システム１００の動作について説明する。
【０１０７】
まず、図１２を参照して、給電開始時の給電システム１００の給電コントローラ１および管理装置３の動作と、電子機器２の動作とについて、フローチャートに基づいて説明する。
【０１０８】
座席Ｃに着席したユーザにより充電のためにテーブルＴの給電部１１（給電できる給電部１１ａ）に電子機器２が配置される。そして、テーブルＴに設置された給電部１１からの出力信号（ビーコン）により電子機器２が起動されると、図１２に示すように、まず、ステップＳ６１ａにおいて、給電コントローラ１の給電部１１からの給電を開始するための受電要求が、電子機器２から給電コントローラ１に送信される。この際、図５に示すステップＳ３ａにおいてＲＯＭ２５ｂに記憶された鍵に基づいて、暗号化された電子機器２の識別情報も、電子機器２から給電コントローラ１に送信される。
【０１０９】
そして、給電コントローラ１では、受電要求および暗号化された電子機器２の識別情報が受信されると、ステップＳ６１ｃにおいて、給電を開始するための処理が開始される。
【０１１０】
そして、ステップＳ６２ｃにおいて、暗号化された電子機器２の識別情報を含む給電問合せが、給電コントローラ１から管理装置３に送信される。
【０１１１】
そして、管理装置３では、給電問合せが受信されると、ステップＳ６１ｂにおいて、給電を開始するための処理が開始される。
【０１１２】
そして、ループＬ７ｂからループＬ８ｂの間のステップＳ６２ｂ〜Ｓ６４ｂの処理が、給電コントローラ１の数（６つ）分だけ繰り返される。ここで、電子機器２と給電コントローラ１との無線通信では、無線通信範囲が比較的広いため、電子機器２が配置されたテーブルＴの給電コントローラ１ではなく、他のテーブルＴの給電コントローラ１により、電子機器２からの受電要求が受信される場合がある。この場合、電子機器２が通信している給電コントローラ１と、電子機器２に給電すべき給電コントローラ１とが異なるという不都合が生じる。ループＬ７ｂからループＬ８ｂの間では、この不都合を解消するために、電子機器２がいずれの給電コントローラ１により給電すべきかを確認する動作が行われる。
【０１１３】
まず、ステップＳ６２ｂにおいて、一時給電要求が、管理装置３から給電コントローラ１に送信される。
【０１１４】
そして、給電コントローラ１では、一時給電要求が受信されると、ステップＳ６３ｃにおいて、一時的な給電が給電部１１により行われる。この一時的な給電により、電子機器２に給電される場合には、給電部１１の給電状態（たとえば、インピーダンス）が変化する。また、電子機器２に給電されない場合には、給電部１１の給電状態が変化しない。これにより、電子機器２が実際に配置されたテーブルＴの給電コントローラ１を特定することが可能である。
【０１１５】
そして、ステップＳ６４ｃにおいて、給電状態が変化したか否かを報知するための給電状態通知が送信される。
【０１１６】
そして、管理装置３では、給電状態通知が受信されると、ステップＳ６３ｂにおいて、受信された給電状態通知が確認される。そして、ステップＳ６４ｂにおいて、給電状態通知に基づいて、給電コントローラ１から電子機器２に給電しているか否かが判断される。給電コントローラ１から電子機器２に給電していないと判断される場合（「Ｎｏ」の場合）には、次の給電コントローラ１の処理に移行する。
【０１１７】
また、給電コントローラ１から電子機器２に給電していると判断される場合（「Ｙｅｓ」の場合）には、ループＬ７ｂからループＬ８ｂまでの間のループを抜けて、ステップＳ６５ｂに進む。そして、ステップＳ６５ｂにおいて、その給電コントローラ１と電子機器２（の識別情報）とが関連付けて記憶部３１に登録される。
【０１１８】
そして、ステップＳ６６ｂにおいて、ＯＫ判定がされて、ステップＳ６８ｂに進む。
【０１１９】
また、ループＬ７ｂからループＬ８ｂの間で、複数（６つ）の給電コントローラ１の全部の数分だけ処理が行われても、給電コントローラ１から電子機器２に給電していないと判断される場合には、ステップＳ６７ｂに進む。そして、ステップＳ６７ｂにおいて、ＮＧ判定がされて、ステップＳ６８ｂに進む。
【０１２０】
そして、ステップＳ６８ｂにおいて、ＯＫ判定であるかＮＧ判定であるかの判定結果が、管理装置３から給電コントローラ１に送信される。なお、この判定結果は、給電すべきと特定された給電コントローラ１に送信されればよい。図１２では、理解の容易のため、受電要求を受信した給電コントローラ１が、給電すべきと特定された給電コントローラ１である場合を例に示している。
【０１２１】
そして、給電コントローラ１では、判定結果が受信されると、ステップＳ６５ｃにおいて、給電コントローラ１から電子機器２に判定結果が送信される。
【０１２２】
そして、電子機器２では、判定結果が受信されると、ステップＳ６２ａにおいて、受電が可能であるか否かが判断される。受電が可能でないと判断される場合（「Ｎｏ」の場合）には、ステップＳ６３ａに進む。そして、ステップＳ６３ａにおいて、ＮＧ表示が電子機器２の表示部２３に表示されて、給電開始時処理が終了される。
【０１２３】
また、受電が可能であると判断される場合（「Ｙｅｓ」の場合）には、ステップＳ６４ａに進む。そして、ステップＳ６４ａにおいて、ＯＫ表示が電子機器２の表示部２３に表示される。その後、ステップＳ６５ａにおいて、給電コントローラ１からの給電電力により受電が開始されて、給電開始時処理が終了される。
【０１２４】
また、給電コントローラ１では、ステップＳ６５ｃにおいて判定結果を送信後、ステップＳ６６ｃに進む。そして、ステップＳ６６ｃにおいて、給電が可能であるか否かが判断される。給電が可能でないと判断される場合（「Ｎｏ」の場合）には、給電が開始されることなく、給電開始時処理が終了される。
【０１２５】
また、給電が可能であると判断される場合（「Ｙｅｓ」の場合）には、ステップＳ６７ｃに進む。そして、ステップＳ６７ｃにおいて、電子機器２の識別情報に基づいて、給電改善が必要か否かが判断される。すなわち、図９に示す給電電力仮調整処理のステップＳ３２ｂまたはステップＳ３８ｂの処理において仮想的に変更された計算上の現在給電中の給電部１１ｂの給電電力に、実際の給電部１１ｂの電力を変更する必要があるか否かが判断される。
【０１２６】
給電改善が必要であると判断される場合（「Ｙｅｓ」の場合）には、ステップＳ６８ｃに進む。そして、ステップＳ６８ｃにおいて、現在給電中の給電部１１ｂの給電電力が、仮想的に変更された計算上の給電電力に変更される。そして、ステップＳ６９ｃに進む。
【０１２７】
また、給電改善が必要でないと判断される場合（「Ｎｏ」の場合）には、給電改善が行われることなく、ステップＳ６９ｃに進む。そして、ステップＳ６９ｃにおいて、図７に示す時間取得用電慮取得処理で取得されたＷｍａｘ、Ｗａｖｅ、およびＷｍｉｎのいずれかの給電電力で、給電コントローラ１の給電部１１から電子機器２に給電が開始される。その後、給電開始時処理が終了される。
【０１２８】
（給電中の動作）
次に、図１３および図１４を参照して、給電中の給電システム１００の管理装置３の動作と、電子機器２の動作とについて説明する。
【０１２９】
第１実施形態では、管理装置３の制御部３３は、給電部１１から電子機器２への給電中に、所定の時間間隔か、または給電電力が変更されたタイミングで、充電必要時間（最短時間、基本時間、最長時間）を更新し、更新された充電必要時間を通信部３２ａを介して電子機器２に報知する制御を行うように構成されている。この結果、充電必要時間の更新画像Ｉ３が、電子機器２の表示部２３に表示される。
【０１３０】
ここで、充電必要時間の更新画像Ｉ３では、「座席移動」ボタンが表示されている。充電必要時間の更新画像Ｉ３中の「座席移動」ボタンがアイコンＤにより選択された場合には、電子機器２から管理装置３に、ユーザの座席の変更に関する座席変更情報が送信される。
【０１３１】
そして、第１実施形態では、制御部３３は、給電部１１から電子機器２への給電中に、ユーザの座席の変更に関する座席変更情報が取得された場合には、図６に示すステップＳ１１ｂ〜Ｓ１６ｂと同様の処理を再度行うように構成されている。つまり、制御部３３は、充電必要時間を給電できる給電部１１ａ単位で再び取得して、取得された給電できる給電部１１ａ単位の充電必要時間を通信部３２ａを介して電子機器２に再び報知する制御を行うように構成されている。
【０１３２】
この際、制御部３３は、充電必要時間を、上記した充電必要時間マップと同様に、座席変更の場合の充電必要時間マップ（以下、座席変更時間マップという）として電子機器２に報知する制御を行うように構成されている。この結果、座席変更時間マップが電子機器２の表示部２３に表示される。
【０１３３】
具体的には、図１４に示すように、座席変更時間マップの画像Ｉ４が電子機器２の表示部２３に表示される。座席変更時間マップの画像Ｉ４は、充電必要時間マップの画像Ｉ１（図１１参照）と同様に、施設Ｆのマップと、各テーブルＴの給電できる給電部１１ａ単位（テーブルＴ単位）の充電必要時間とを対応させた画像である。座席変更時間マップの画像Ｉ４では、充電必要時間マップの画像Ｉ１とは異なり、現在の給電部１１位置（座席Ｃ位置）に対して相対的に充電が早くできるか否かが、色分けして表示されている。また、座席変更時間マップの画像Ｉ４では、給電できる給電部１１ａがないか、またはＷｍａｘがＷｍｉｎよりも小さいため、現在給電ができないテーブルＴが使用不可（ＮＧ）として表示されている。
【０１３４】
たとえば、座席変更時間マップの画像Ｉ４中のテーブルＴに対応する位置が、アイコンＤにより選択された場合には、その座席変更時間マップの画像Ｉ４から、画像Ｉ５に遷移する。座席変更時間マップの画像Ｉ５では、充電必要時間マップの画像Ｉ２とは異なり、充電必要時間として、アイコンＤにより選択されたテーブルＴの給電できる給電部１１ａの最短時間、基本時間、および最長時間の３つの充電必要時間が現在の給電部１１位置（座席Ｃ位置）に対する相対値で表示されている。これにより、給電部１１による給電中にも、他のテーブルＴの給電できる給電部１１ａ単位（つまり、空席単位）の充電必要時間をユーザに提供することが可能となる。
【０１３５】
なお、座席変更の場合には、変更先の座席における給電開始時は、新規扱いで取得されたＷｍａｘ、Ｗａｖｅ、またはＷｍｉｎにより給電を開始するが、優先度としては新規扱いではなく、実際に施設Ｆに入場した施設入場時間に基づいて行われる。
【０１３６】
（給電終了時の動作）
次に、図１５を参照して、給電終了時の給電システム１００の給電コントローラ１および管理装置３の動作と、電子機器２の動作とについて、フローチャートに基づいて説明する。
【０１３７】
図１５に示すように、まず、ステップＳ７１ａにおいて、退席または満充電により電子機器２の受電が終了されると、給電コントローラ１では、ステップＳ７１ｃにおいて、給電状態の変化が確認される。そして、ステップＳ７２ｃにおいて、一定時間その給電状態が保持される。
【０１３８】
そして、ステップＳ７３ｃにおいて、給電が終了か否かが判断される。給電が終了でないと判断される場合（「Ｎｏ」の場合）には、ステップＳ７１ｃに戻る。また、給電が終了であると判断される場合（「Ｙｅｓ」の場合）には、ステップＳ７４ｃに進む。
【０１３９】
そして、ステップＳ７４ｃにおいて、電子機器２に対する給電電力の推移や、充電時間（給電時間）などの給電履歴が、給電コントローラ１から管理装置３に送信される。
【０１４０】
そして、管理装置３では、給電履歴が受信されると、ステップＳ７１ｂにおいて、受信された給電履歴が記憶部３１に登録される。この際、図６に示す充電必要時間報知時処理において取得された充電必要時間と、実際の充電時間との差分が取得されるとともに、この差分に基づいて、記憶部３１に記憶された給電環境情報が更新される。この結果、次の充電必要時間の取得時には、前に取得（算出）された充電必要時間と実際の充電時間との差分が加味されるので、その分、充電必要時間の予測精度を向上させることが可能である。
【０１４１】
そして、ステップＳ７２ｂにおいて、給電電力の調整が行われる。具体的には、現在給電中の給電部１１ｂのうちにＷｍａｘまたはＷａｖｅで給電していない給電部１１ｂがある場合には、ＷｍａｘまたはＷａｖｅに引き上げることが可能であるか否かが判断される。また、引き上げることが可能であると判断される場合には、ＷｍａｘまたはＷａｖｅに引き上げるように設定される。また、現在給電中の給電部１１ｂの全部がＷｍａｘで給電している場合には、Ｗｍａｘの値を引き上げることが可能であるか否かが判断される。また、引き上げることが可能であると判断される場合には、Ｗｍａｘの値が再計算されて、引き上げるように設定される。なお、この際には、優先度に基づいて、優先度が高い電子機器２に給電している給電部１１ｂの給電電力が、優先的に引き上げられる。
【０１４２】
そして、ステップＳ７３ｂにおいて、ステップＳ７２ｂの調整結果が、管理装置３から給電コントローラ１に送信されて、給電終了時処理が終了される。
【０１４３】
そして、給電コントローラ１では、調整結果が受信されると、ステップＳ７５ｃにおいて、受信された調整結果に基づいて、実際に給電部１１ｂの給電電力が調整される。その後、給電終了時処理が終了される。
【０１４４】
（第１実施形態の効果）
第１実施形態では、以下のような効果を得ることができる。
【０１４５】
第１実施形態では、上記のように、ワイヤレスで給電する複数の給電部１１のうち給電できる給電部１１ａ単位で、給電対象の電子機器２の蓄電部２２を所定量充電するのに必要な充電必要時間を取得するとともに、取得された充電必要時間を報知する制御を行う制御部３３を設ける。これにより、座席Ｃ選択のための判断材料として、給電できる給電部１１ａ単位の充電必要時間をユーザに提供することができる。その結果、充電必要時間を考慮してユーザに座席Ｃを選択させることができる。
【０１４６】
また、第１実施形態では、上記のように、複数の異なる給電電力で充電した場合の複数の充電必要時間（最短時間、基本時間、および最長時間）を報知する制御を行うように制御部３３を構成する。これにより、複数の充電必要時間をユーザに提供することができるので、その分、より多くの座席Ｃ選択のための判断材料をユーザに提供することができる。
【０１４７】
また、第１実施形態では、上記のように、複数の異なる給電電力は、給電環境に関する給電環境情報に基づいて取得される給電電力（Ｗ）、給電できる給電部１１ａの最大給電電力である給電電力（Ｗｍａｘ）、および電子機器２の最小受電電力である給電電力（Ｗｍｉｎ）を含む。これにより、給電電力がＷである場合には、給電環境が考慮される分、より適切な充電必要時間をユーザに提供することができる。また、給電電力がＷｍａｘである場合には、少なくとも報知時点で最短の充電必要時間をユーザに提供することができる。また、給電電力がＷｍｉｎである場合には、最長の充電必要時間をユーザに提供することができる。したがって、座席Ｃ選択のための判断材料をユーザに効果的に提供することができる。
【０１４８】
また、第１実施形態では、上記のように、給電環境情報は、施設の混雑度合の情報、施設を利用するユーザの滞在平均時間の情報、座席Ｃの種類の情報、および電子機器２のサイズの情報を含む。これにより、給電環境を適切に考慮することができるので、より適切な充電必要時間をユーザにより確実に提供することができる。
【０１４９】
また、第１実施形態では、上記のように、給電できる給電部１１ａの最大給電電力が、電子機器２の最小受電電力よりも小さい場合には、給電中である給電部１１の給電電力が小さくなるように設定した場合の充電必要時間を給電できる給電部１１ａ単位で取得するように制御部３３を構成する。これにより、給電できる給電部１１ａの最大給電電力が、電子機器２の最小受電電力よりも小さく、充電（給電）が困難な場合にも、仮に給電電力が調整された場合の充電必要時間を取得することができる。その結果、充電必要時間をユーザに容易に提供することができる。
【０１５０】
また、第１実施形態では、上記のように、給電部１１から電子機器２への給電中に、充電必要時間を更新し、更新された充電必要時間を報知する制御を行うように制御部３３を構成する。これにより、着席前に、座席Ｃ選択のための判断材料として、給電できる給電部１１ａ単位の充電必要時間をユーザに提供することができるのみならず、電子機器２への給電中に更新された充電必要時間をユーザに提供することができる。
【０１５１】
また、第１実施形態では、上記のように、給電部１１から電子機器２への給電中に、ユーザの座席Ｃの変更に関する座席Ｃ変更情報が取得された場合には、充電必要時間を給電できる給電部１１ａ単位で再び取得して、取得された充電必要時間を再び報知する制御を行うように制御部３３を構成する。これにより、着席後に、ユーザが座席Ｃを変更（移動）しようとする場合にも、座席Ｃ選択のための判断材料として、給電できる給電部１１ａ単位の充電必要時間をユーザに提供することができる。その結果、ユーザが座席Ｃを変更（移動）しようとする場合にも、充電必要時間を考慮してユーザに座席Ｃを選択させることができる。
【０１５２】
[第２実施形態]
次に、図１、図４、図８、図１６および図１７を参照して、第２実施形態について説明する。この第２実施形態では、給電対象の電子機器として、表示部を有さない電子機器１０２が用いられる例について説明する。
【０１５３】
（給電システムの構成）
本発明の第２実施形態による給電システム２００は、図１に示すように、管理装置１０３を備える点で、上記第１実施形態の給電システム１００と相違する。また、図４に示すように、管理装置１０３は、制御部１３３を備える点で、上記第１実施形態の管理装置３とは相違する。なお、上記第１実施形態と同一の構成については、同じ符号を付してその説明を省略する。
【０１５４】
第２実施形態では、施設Ｆには、モバイルバッテリなどの表示部を有さない電子機器１０２（図１６参照）を特定するための給電装置１５０（図１６参照）と、サイネージなどの表示装置１６０（図１７参照）とがさらに設置されている。
【０１５５】
給電装置１５０は、給電部１５１を含み、電子機器１０２にワイヤレスで給電することが可能に構成されている。電子機器１０２は、受電部１２１を含み、給電装置１５０からの電力を受電することが可能に構成されている。
【０１５６】
また、給電装置１５０は、施設Ｆの入口近傍に設置されている。また、給電装置１５０の設置位置近傍には、「ここに置いてください」などの設置を促すメッセージが表示されている。
【０１５７】
給電装置１５０は、電子機器１０２が所定の配置位置に配置された場合に、給電部１５１から給電することにより、配置された電子機器１０２を特定するように構成されている。給電装置１５０は、たとえば、配置された電子機器１０２から電子機器情報を取得することにより、電子機器１０２を特定する。そして、特定された電子機器１０２の電子機器情報が、管理装置１０３により取得される。
【０１５８】
そして、管理装置１０３の制御部１３３は、給電コントローラ１の複数の給電部１１のうち、現在給電中でない給電できる給電部１１ａ（図８参照）単位で、給電装置１５０により特定された電子機器１０２の蓄電部１２２を所定量充電するのに必要な充電必要時間を取得するとともに、取得された給電できる給電部１１ａ単位の充電必要時間を通信部３２ａを介して表示装置１６０に報知（送信）する制御を行うように構成されている。
【０１５９】
具体的には、図１７に示すように、制御部１３３は、充電必要時間を、充電必要時間マップとして表示装置１６０に報知する制御を行うように構成されている。この結果、充電必要時間マップの画像Ｉ１０１が表示装置１６０に表示される。
【０１６０】
なお、第２実施形態のその他の構成は、上記第１実施形態と同様である。
【０１６１】
（第２実施形態の効果）
第２実施形態では、以下のような効果を得ることができる。
【０１６２】
第２実施形態では、上記のように、取得された給電できる給電部１１ａ単位の充電必要時間を通信部３２ａを介して、施設Ｆに設置された表示装置１６０に報知する制御を行う制御部１３３を設ける。これにより、表示部を有さない電子機器１０２が用いられる場合にも、座席選択のための判断材料として、給電できる給電部１１ａ単位の充電必要時間を電子機器１０２を使用するユーザに提供することができる。
【０１６３】
なお、第２実施形態のその他の効果は、上記第１実施形態と同様である。
【０１６４】
[第３実施形態]
次に、図１、図３、図４、図８および図１８を参照して、第３実施形態について説明する。この第３実施形態では、複数の電子機器２の充電必要時間を報知する例について説明する。
【０１６５】
（給電システムの構成）
本発明の第３実施形態による給電システム３００は、図１に示すように、管理装置２０３を備える点で、上記第１実施形態の給電システム１００と相違する。また、図４に示すように、管理装置２０３は、制御部２３３を備える点で、上記第１実施形態の管理装置３とは相違する。なお、上記第１実施形態と同一の構成については、同じ符号を付してその説明を省略する。
【０１６６】
ここで、飲食店などの施設Ｆは、一般的に、家族や友人などの複数のユーザにより構成される団体で利用されることも多い。この場合、団体を構成するユーザが使用する複数の電子機器２に対応する充電必要時間が報知されるのが好ましいと考えられる。
【０１６７】
そこで、第３実施形態では、管理装置２０３の制御部２３３は、給電コントローラ１の複数の給電部１１のうち、現在給電中でない給電できる給電部１１ａ（図８参照）単位で、複数の電子機器２に対応する充電必要時間を取得するとともに、取得された給電できる給電部１１ａ単位でかつ複数の電子機器２に対応する充電必要時間を通信部３２ａを介して電子機器２に報知（送信）する制御を行うように構成されている。
【０１６８】
具体的には、図１８に示すように、制御部２３３は、複数の電子機器２に対応する充電必要時間を、充電必要時間マップとして電子機器２に報知する制御を行うように構成されている。この結果、充電必要時間マップの画像Ｉ２０１が電子機器２の表示部２３（図３参照）に表示される。
【０１６９】
充電必要時間マップの画像Ｉ２０１では、同時間帯に取得された複数の電子機器２の組み合わせが表示されている。具体的には、充電必要時間マップの画像Ｉ２０１では、「＋タブレット」、「＋スマートフォン」、「＋スマートフォン２台」、「＋タブレット＋スマートフォン」の複数の電子機器２の組み合わせが表示されている。また、充電必要時間マップの画像Ｉ２０１では、「本機のみ」が表示されている。ユーザは、これらの組み合わせのうち、自身が属する団体に対応する組み合わせを選択することになる。たとえば、充電必要時間マップの画像Ｉ２０１中で、「＋タブレット」の組み合わせがアイコンＤにより選択された場合には、本機＋タブレットの組み合わせに対応する充電必要時間マップの画像Ｉ２０１が表示される。
【０１７０】
なお、第３実施形態のように、複数の電子機器２に対応する充電必要時間を報知する場合にも、上記第１実施形態と同様に、Ｗｍａｘ、Ｗａｖｅ、およびＷｍｉｎを使用して、充電必要時間を求めることができる。この場合、給電できる給電部１１ａの最大給電電力を組み合わせに係る電子機器２の数で除算した給電電力がＷｍａｘの初期値として設定され、このＷｍａｘを給電できる給電部１１ａの数で除算した給電電力がＷａｖｅの初期値として設定され、組み合わせに係る電子機器２の各々の最小受電電力の合計値がＷｍｉｎの初期値として設定されればよい。
【０１７１】
そして、第３実施形態では、給電開始時には、所定の時間内に給電が開始された複数の電子機器２が、グループとして管理装置２０３の記憶部３１に記憶される。これにより、複数のユーザにより構成される団体により施設Ｆが利用される場合に、団体を構成するユーザが使用する複数の電子機器２を、グループ化して給電することが可能である。
【０１７２】
また、給電中には、グループを形成する電子機器２では、給電電力が互いに等しくなるように、給電コントローラ１により給電制御が行われる。これにより、グループを形成する電子機器２において給電状況を均一にすることができるので、団体のユーザのうち特定のユーザの電子機器２のみが低速受電状態となることを抑制することが可能である。
【０１７３】
なお、第３実施形態のその他の構成は、上記第１実施形態と同様である。
【０１７４】
（第３実施形態の効果）
第３実施形態では、以下のような効果を得ることができる。
【０１７５】
第３実施形態では、上記のように、複数の電子機器２に対応する充電必要時間を取得するとともに、取得された給電できる給電部１１ａ単位でかつ複数の電子機器２に対応する充電必要時間を電子機器２に報知する制御を行う制御部２３３を設ける。これにより、複数のユーザにより構成される団体により施設Ｆが利用される場合に、座席Ｃ選択のための判断材料として、給電できる給電部１１ａ単位でかつ複数の電子機器２に対応する充電必要時間を、団体を構成するユーザに提供することができる。
【０１７６】
なお、第３実施形態のその他の効果は、上記第１実施形態と同様である。
【０１７７】
［変形例］
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【０１７８】
たとえば、上記第１〜第３実施形態では、本発明の様々な態様を示したが、本発明は各実施形態の態様に限られない。本発明は、各実施形態の一または複数の構成と他の実施形態の構成とを適宜組み合わせた態様をも含んでいる。
【０１７９】
また、上記第１〜第３実施形態では、給電システムが、複数（６つ）の給電コントローラと、１つの管理装置とを備えた例を示したが、本発明はこれに限られない。本発明では、６つ以外の複数の給電コントローラを、給電システムが備えていてもよい。また、給電コントローラが１つでよい場合には、給電コントローラの機能を有する管理装置を、給電システムが備えていてもよい。
【０１８０】
また、上記第１〜第３実施形態では、給電コントローラと管理装置とが、有線通信した例を示したが、本発明はこれに限られない。本発明では、給電コントローラと、管理装置とが、無線通信してもよい。
【０１８１】
また、上記第１〜第３実施形態では、給電コントローラが、電子機器と通信する通信部と、管理装置と通信する通信部とを別個に含んだ例を示したが、本発明はこれに限られない。本発明では、給電コントローラが、電子機器および管理装置の両方と通信する通信部を含んでいてもよい。
【０１８２】
また、上記第１〜第３実施形態では、管理装置が、電子機器と通信する通信部と、給電コントローラと通信する通信部とを別個に含んだ例を示したが、本発明はこれに限られない。本発明では、管理装置が、電子機器および給電コントローラの両方と通信する通信部を含んでいてもよい。
【０１８３】
また、上記第１〜第３実施形態では、電子機器が、給電コントローラと管理装置との両方と通信する通信部を含んだ例を示したが、本発明はこれに限られない。本発明では、電子機器が、給電コントローラと通信する通信部と、管理装置と通信する通信部とを別個に含んでいてもよい。
【０１８４】
また、上記第１〜第３実施形態では、最短時間、基本時間、および最長時間の３つの充電必要時間を報知した例を示したが、本発明はこれに限られない。本発明では、１つまたは３つ以外の複数の充電必要時間を報知してもよい。
【０１８５】
また、上記第１〜第３実施形態では、給電できる給電部の最大給電電力がＷｍａｘの初期値として設定され、給電できる給電部の最大給電電力を給電できる給電部の数で除算した給電電力がＷａｖｅの初期値として設定され、電子機器の最小受電電力がＷｍｉｎの初期値として設定された例を示したが、本発明はこれに限られない。本発明では、これらの給電電力以外の給電電力を、初期値として設定してもよい。この際、施設Ｆのお得意様の使用する電子機器に給電する場合や、電子機器がタブレットＰＣである場合など、特定の条件を考慮して、初期値が設定されてもよい。
【０１８６】
また、上記第１〜第３実施形態では、施設の混雑度合いの情報、施設を利用するユーザの滞在平均時間の情報、テーブル毎の座席の種類の情報、および電子機器のサイズの情報を、給電環境に関する給電環境情報として用いた例を示したが、本発明はこれに限られない。本発明では、施設の混雑度合いの情報、施設を利用するユーザの滞在平均時間の情報、テーブル毎の座席の種類の情報、および電子機器のサイズの情報のうち少なくともいずれかの情報を、給電環境情報として用いてもよい。
【０１８７】
また、上記第２実施形態では、表示部を有さない電子機器が用いられる場合に、充電必要時間を施設に設置された表示装置に報知した例を示したが、本発明はこれに限られない。本発明では、表示部を有さない電子機器が用いられる場合に、充電必要時間をスマートフォンなどの表示部を有する電子機器（給電対象でない電子機器）に報知してもよい。
【０１８８】
また、上記第１実施形態では、説明の便宜上、本発明の管理装置の制御部の処理を処理フローに沿って順番に処理を行うフロー駆動型のフローチャートを用いて説明したが、本発明はこれに限られない。本発明では、管理装置の制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１８９】
２、１０２  電子機器
３、１０３、２０３  管理装置
１１  給電部
１１ａ  給電部（給電できる給電部）
２２、１２２  蓄電部
３２ａ  通信部
３３、１３３、２３３  制御部
１００、２００、３００  給電システム
【図１】
2017046422.tif 000003
【図２】
2017046422.tif 000004
【図３】
2017046422.tif 000005
【図４】
2017046422.tif 000006
【図５】
2017046422.tif 000007
【図６】
2017046422.tif 000008
【図７】
2017046422.tif 000009
【図８】
2017046422.tif 000010
【図９】
2017046422.tif 000011
【図１０】
2017046422.tif 000012
【図１１】
2017046422.tif 000013
【図１２】
2017046422.tif 000014
【図１３】
2017046422.tif 000015
【図１４】
2017046422.tif 000016
【図１５】
2017046422.tif 000017
【図１６】
2017046422.tif 000018
【図１７】
2017046422.tif 000019
【図１８】
2017046422.tif 000020